(57)【要約】【課題】中途位置から上下または左右で異なる枠幅を有する仮設足場を構築する際に、先行手摺を設置できかつ仮設足場の剛性を確保できる拡幅・狭幅足場部材およびこの拡幅・狭幅足場部材を組み込んでなる仮設足場を提供する。【解決手段】２本の建地部材と、両建地部材に対して直角に設置され両建地部材間の略中央部を水平に連結する横地部材と、両建地部材に対して直角に設置され両建地部材間の上部近傍を水平に連結する上部水平部材と、両建地部材に対して斜角に設置され両建地部材間を略中央部から上部近傍にかけて斜めに連結する上部斜め部材からなる拡幅・狭幅用足場部材とこの拡幅・狭幅足場部材を組み込んでなる仮設足場。【選択図】図１１
2015169010.tif 000002
【特許請求の範囲】
【請求項１】
２本の建地部材と、両建地部材に対して直角に設置され両建地部材間の略中央部を水平に連結する横地部材と、両建地部材に対して直角に設置され両建地部材間の上部近傍を水平に連結する上部水平部材と、両建地部材に対して斜角に設置され両建地部材間を略中央部から上部近傍にかけて斜めに連結する上部斜め部材からなる拡幅・狭幅用足場部材。
【請求項２】
さらに、両建地部材に対して直角に設置され両建地部材間の下部近傍を水平に連結する下部水平部材を設けてなる、請求項１に記載の拡幅・狭幅用足場部材。
【請求項３】
さらに、両建地部材に対して斜角に設置され両建地部材間を略中央部から下部近傍にかけて斜めに連結する下部斜め部材を設けてなる、請求項１または２に記載の拡幅・狭幅用足場部材。
【請求項４】
２本の建地部材と、両建地部材に対して直角に設置され両建地部材間の略中央部を水平に連結する横地部材と、両建地部材に対して直角に設置され両建地部材間の上部近傍を水平に連結する上部水平部材と、両建地部材に対して斜角に設置され両建地部材間を略中央部から下部近傍にかけて斜めに連結する下部斜め部材と、上記横地部材と上記上部水平部材の間で両建地部材間を水平に連絡する中上部水平部材からなる拡幅・狭幅用足場部材。
【請求項５】
さらに、両建地部材に対して直角に設置され両建地部材間の下部近傍を水平に連結する下部水平部材を設けてなる、請求項４に記載の拡幅・狭幅用足場部材。
【請求項６】
建地部材の上端部にホゾ材を組み込んでなる請求項１から５までのいずれかに記載の拡幅・狭幅用足場部材。
【請求項７】
請求項１から６までのいずれかに記載の拡幅・狭幅足場部材を組み込んでなる仮設足場。
【請求項８】
階段部材を組み込んでなる、請求項７に記載の仮設足場。
【発明の詳細な説明】
【技術分野】
【０００１】
本発明は、建築現場や土木現場等の工事現場において、屋内外で仮設足場を構築する際に、作業床や作業者の通路などに用いられる足場の幅を仮設足場の中途位置から垂直方向および水平方向に拡げたり狭めたりすることができる拡幅・狭幅用足場部材及びこの足場部材を組み込んでなる仮設足場に関する。
【背景技術】
【０００２】
工事現場における仮設足場として、ビルや住宅の施行時などに用いられるくさび緊結式足場が知られている。くさび緊結式足場は、コマ等の連結金具を側面に有する垂直方向の支柱部材と水平方向のつなぎ材（水平材ともいう。また、短尺のつなぎ材のことを特に腕木材ということがある。）から組み立てられる垂直枠を適宜間隔で平行に複数個立設し、対向する垂直枠内の支柱部材の間をブレース材で連結することによって、対向する垂直枠とブレース材からなる枠組を構築した後、対向する垂直枠内のつなぎ材の間に床付き布枠が架け渡されてなる１段または複数段の足場であって、作業床、通路、ステージなどとして使用される。なお、ブレース材は１段ごとに連結してもよいし、複数段分を一度に連結してもよい。ここで、支柱部材、つなぎ材、ブレース材などには、鋼製やアルミニウム製などの管材や棒線材が用いられることが多い。
【０００３】
また、くさび緊結式足場は、対向する垂直枠の支柱部材の間をブレース材で連結する代わりに、対向する垂直枠内の支柱部材の間を垂直枠に対して直角に別のつなぎ材で水平方向に連結することによって、垂直枠とつなぎ材からなる枠組を構築することもできる。すなわち、垂直枠内に位置する第一のつなぎ材と、垂直枠間を直角に連結する第二のつなぎ材を水平２方向に直交して設置することで枠組を構築することもできる。ここで、垂直枠内の第一のつなぎ材の長さと、垂直枠間を直角に連結する第二のつなぎ材の長さは、それぞれ、垂直枠内の支柱部材間の水平距離および垂直枠間の水平距離とほぼ同じである。したがって、つなぎ材として、長短２種のつなぎ材が用いられる場合と、同じ長さのつなぎ材が用いられる場合とがある。
【０００４】
さらに、くさび緊結式足場は、対向する垂直枠の支柱部材の間をブレース材で連結することに加えて、対向する垂直枠内の支柱部材の間を垂直枠に対して直角に別のつなぎ材で水平方向に連結することによって、垂直枠とつなぎ材とブレース材からなる枠組を構築することもできる。すなわち、垂直枠内に位置する第一のつなぎ材と、垂直枠間を直角に連結する第二のつなぎ材を水平２方向に直交するだけでなく、さらにブレース材でも連結することによっても枠組を構築するのであるから、枠組の連結をさらに強固にすることができる。上記と同じ理由で、つなぎ材として、長短２種のつなぎ材が用いられる場合と、同じ長さのつなぎ材が用いられる場合とがある。
【０００５】
このようにして、１段又は２段以上の段数を有するくさび緊結式足場からなる仮設足場が組み立てられる。そして、その段数は、架け渡される床付き布枠の段数で数えることができ、組み立てられる仮設足場の高さに応じて決定される。なお、複数段の床付き布枠を有する仮設足場を組み立てる際には、一段ずつ枠組を組み立ててもよいし、複数段の枠組を一挙に組み立ててもよい。
【０００６】
なお、くさび緊結式足場において、水平方向のつなぎ材とともに垂直枠を形成する垂直方向の支柱部材は１本当たり、側面の複数個所（２〜４個所程度）に連結金具が設けられている。その連結金具としては、支柱部材の側面の周囲に複数個設けられるコマや、支柱部材の側面に環状に設けられるフランジ等を用いることができる。そして、つなぎ部材の端部に設けられるクサビ金具をコマやフランジなどの連結金具に取り付け、クサビで緊結することができる。したがって、支柱部材のどの連結金具の個所でつなぎ部材を取り付けて緊結するかによって、垂直枠の形状が変わってくる。たとえば、支柱部材の最上部の連結金具につなぎ材を取り付けて緊結すれば「門形状」の垂直枠が形成されるし、支柱部材の中程の連結金具につなぎ材を取り付けて緊結すれば「Ｈ形状」の垂直枠が形成される。
【０００７】
図１に、くさび緊結式足場の一例を示す。(a)はくさび緊結式足場の正面図、(b)は(a)において円で示されたコマの周辺の拡大図、そして、(c)はくさび緊結式足場の右側面図である。
【０００８】
くさび緊結式足場の支柱１が建物１４の側とその反対側に各３本が立設されている。各々の支柱１は、複数のコマ４を側面に有する支柱部材３をホゾ材（図示せず。）を介して縦方向に継ぎ足すことによって形成されている。建物側の支柱１とその反対側の支柱１の間には、コマ４を介してつなぎ材２が上下に各１本水平方向に連結され、クサビ（図示せず）で緊結されることで、垂直枠が３つ形成されている。また、建物とは反対側で対向する支柱部材３の間には、コマ４を介してブレース材２１が斜めに取り付けられてクサビ（図示せず）で緊結されることによって、垂直枠とブレース材からなる枠組が構築される。ここでは、作業者（図示せず）の安全確保のために、さらに、対向する垂直枠内の支柱部材の間にコマ４を介して垂直枠に対して直角に手摺２０が水平方向に取り付けられてクサビで緊結されている。その後、対向する垂直枠内のつなぎ材２の間に、それぞれ床付き布枠９を１枚又は平行して２枚以上架け渡すことで、１段目の足場が形成される。なお、建物側にもブレース材や手摺を設置してもよい。また、対向する垂直枠内の支柱部材の間を垂直枠に対して直角に別のつなぎ材で水平方向に連結してもよい。
【０００９】
なお、各々の支柱１は支柱部材３を縦方向に継ぎ足すことによって形成されるのであるが、垂直枠内での支柱部材３の継ぎ足し位置は、床付き布枠９が架け渡されるつなぎ材２の直上に設ける場合と、床付き布枠９が架け渡される上下２本のつなぎ材２の略中間地点に設ける場合とがある。この支柱部材３の継ぎ足し位置については、後述する。
【００１０】
そして、支柱部材間を水平方向に連結するつなぎ材としては、鋼製やアルミニウム製などの管の両端にクサビ金具を溶接等で接合したものが用いられる。このつなぎ材の端部のクサビ金具を支柱部材のコマ等の連結金具に引っ掛けた後に、クサビによって緊結することで、支柱部材に固定することができる。
【００１１】
図２は、くさび緊結式足場で用いられるつなぎ材の一例の正面図である。
【００１２】
このつなぎ材２は、鋼製やアルミニウム製などの水平管３１の両端にクサビ金具２ｂを溶接等によって接合したものであって、その全長は支柱部材３の間の間隔に合わせてある。つなぎ材２の端部のクサビ金具２ｂを支柱部材３の側面に設けられたコマ４等の連結金具に引っ掛けた後に、クサビ２ａによって緊結することによって、支柱部材３の間を連結固定することができる。
【００１３】
このつなぎ材に関しては、つなぎ材自体の強度を増すために、あるいはつなぎ材を支柱部材に対して強固に連結するために、つなぎ材の下部から支柱に向けて、斜めに方杖を設けることができる。
【００１４】
図３は、くさび緊結式足場で用いられる方杖付つなぎ材の一例である。(a)は正面図である。(b)〜(d)はＡ部の拡大図であり、そのうち、(b)は左側面図、(c)は正面図、そして、(d)は底面図を表す。
【００１５】
この方杖付つなぎ材３０は、鋼製やアルミニウム製などの水平管３１と、この水平管３１を斜め下方から支える２本の方杖３２とからなる。方杖付つなぎ材の水平管３１の端部のそれぞれには、下向きの切り欠き部４０ａを有する端部板４０が溶接等で接合されるとともに、水平管３１の端部の下部には開口部３１ａが設けられており、水平管３１の端部を支柱部材に掛止することによって、水平管３１の端部を支柱部材に連結することができる。一方、方杖３２の下端にはクサビ金具３０ｂが溶接等によって接合されて設けられており、このクサビ金具３０ｂを支柱部材の側面に設けられたコマ等の連結金具に引っ掛けた後に、クサビ３０ａを打ち込むことによって、この方杖３２の下端を支柱部材に緊結することができる。ここで、方杖３２の下端に設けるクサビ金具３０ｂは、正面から見てＣ字形状を有しているので、クサビ金具３０ｂが支柱部材の側面に設けられたコマ等の連結金具を上下から挟んで内抱できる。したがって、方杖付つなぎ材３０を支柱部材に一旦連結すれば、方杖付つなぎ材３０が上下方向に移動しようとしても、支柱部材のコマ等の連結金具にぶつかるので、方杖付つなぎ材３０が支柱部材から外れることを防止できる。なお、方杖付つなぎ材３０の変形を防止するために、水平管３１の左右の端部近傍から、各１本の束材３４が垂直に設置され、それぞれの方杖３２を結ぶことによってそれぞれの方杖３２を上方から支持している。
【００１６】
このように、複数の支柱部材と複数のつなぎ材を組み合わせ、そして、床付き布枠を対面するつなぎ材の間に架け渡すことで、作業床、通路、ステージなどとして使用される足場を複数段有する仮設足場を構築することができる。また、作業者の安全確保のために、この床付き布枠と平行して、隣接する支柱部材間に手摺が取り付けられる。また、仮設足場の上段と下段の間を行き来することができるように、上段のつなぎ材と下段のつなぎ材の間に斜めに階段部材を設置することができる。
【００１７】
図４に、床付き布枠の一例を示す。(a)が平面図、(b)が正面図、(c)がこの床付き布枠を足場として使用した時の正面図、(d)が床付き布枠の左端面（(c)の円で囲んだ部分）の正面拡大図、そして、(e)が(d)のＡ−Ａ矢視平面図である。
【００１８】
床付き布枠９は、通常、長尺の主材５０の１本又は２本以上と、主材の長手方向の両端部に取り付けられる掴み金具５１と断面コの字形の梁材（側板）５２から構成されている。通常、主材５０は水平面の床材部５０ａとその両縁側面を折り曲げてなる布材部５０ｂとからなる。長尺の主材５０の両端部に断面コの字形の梁材５２が取り付けられ、そして、長尺の主材５０の両端部の四隅に掴み金具５１がリベット５１ｃ等で固定されて取り付けられる。掴み金具５１は下面に湾曲部５１ａを有し、この湾曲部５１ａがつなぎ材２の上部曲面に載置されるので、掴み金具５１がつなぎ材２を掴んだ状態となる。なお、落下錠５１ｂを掴み金具５１に設けることによって、掴み金具５１をつなぎ材２に確実に掴ませることができる。なお、床付き布枠９の上を歩行する際に作業者が滑るのを防止するために、床材部５０ａの上面にはエンボス加工８３が施されることがある。また、床材部が幅方向に撓るのを防止するため、床材部の中央部の下側に桟木が設けられることがある。この床付き布枠９を、足場の作業床や通路の幅に応じて、１枚又は２枚以上並べて架け渡すことによって、作業床又は通路が形成される。
【００１９】
以上のとおり、対向する垂直枠内のつなぎ材の間に水平に１枚または複数枚の床付き布枠を架け渡すことで、つなぎ緊結式足場からなる複数段の枠組を有する仮設足場を形成することができる。なお、つなぎ緊結式足場においては最下層から最上層まで支柱部材の設置間隔が通常は同一であるから、その仮設足場の枠幅は各段とも同じになる。
【００２０】
ところが、仮設足場を組み立てる場所には、ひさし、塀、花壇などの障害物が設けられる場合がある。新築工事であれば、仮設足場の解体後に、ひさし、塀、花壇などの施工を行えばよいが、既存建物の改修工事では、このような障害物を避けて仮設足場を設置する必要がある。このため、仮設足場の枠幅を中途位置から上下方向に狭めたり拡げたりして設置することで対応せざるを得ない。
【００２１】
また、ひさし、塀、花壇などの障害物が設けられていない場所であっても、仮設足場内には上段と下段の足場を行き来することができるように、上段のつなぎ材と下段のつなぎ材の間に斜めに階段部材を設置することがある。この場合は、階段部材を設置する場所では、階段部材の幅の分だけ、足場の作業床や通路の幅が狭くなってしまうことになるため、建物の新築工事と改修工事を問わず、足場の作業床や通路の幅を確保するため階段部材が設置されている場所の枠幅を中途位置から水平方向に拡げる必要性が生じる場合がある。
【００２２】
図５は、枠幅約９００ｍｍの足場に階段部材を設置した一例である。階段部材１２の幅は約６６０ｍｍであるため、作業者１０が通ることができる通路幅は約２４０ｍｍとなってしまうことが分かる。
【００２３】
そして、図６は枠幅約１２００ｍｍの足場に階段部材を設置した一例である。階段部材の幅は約６６０ｍｍであるため、作業者１０が通ることができる通路幅は約５４０ｍｍとなる。したがって、階段部材が設置されている足場において、枠幅を約１２００ｍｍに拡げれば、十分な通路幅を確保することが出来るので作業者１０は余裕を持って階段部材１２の脇を通ることができる。
【００２４】
特許文献１〜３には、枠幅を中途位置から上下で異なる仮設足場を構築するべく、障害物が存在する高さにおいては支柱間の幅を狭くして狭幅の足場を形成し、そして、障害物に邪魔されない高さにおいては支柱間の幅を広くして広幅の足場を形成することができる拡幅・狭幅用足場部材として、拡幅ブラケットおよび足場用ブラケットが開示されている。これらの拡幅・狭幅用足場部材は、足場の拡幅分または狭幅分に相当する長さの水平部材または水平アームを上部に有し、この水平材又は水平アームの端部上に、連結ピン（ホゾ）を介して、上段の支柱部材を縦方向にジョイントすることで、上段が拡幅または狭幅された枠組を形成しようとするものである。そして、この水平材又は水平アームを横地部材としてその上に床付き布枠が架け渡されることによって、上下方向に拡幅または狭幅された足場が形成された仮設足場となる。
【先行技術文献】
【特許文献】
【００２５】
【特許文献１】特開２０１０−２０３１３８号公報
【特許文献２】特開２０１２−２４１４９１号公報
【特許文献３】特開２０１２−２４１４９２号公報
【発明の概要】
【発明が解決しようとする課題】
【００２６】
仮設足場を組み立てる際に、床付き布枠を架け渡した後にその床付き布枠上から作業者が支柱部材の間に連結金具を介して手摺を取り付けることもできるが、作業者の安全面を考慮すると、先行して取り付けることのできる先行手摺を用いるのが好ましい。先行手摺を用いると、作業者が上段の足場に立ったときには、すでに上段には先行手摺が設置されているから、作業者が足場から転落する恐れが少なくなるからである。足場を解体する場合も同様であり、作業者は下段の足場に降り立ってから、上段の足場の先行手摺を取り外すことができるので、作業者の安全が守られる。
【００２７】
先行手摺は、足場を組み立てる際に作業者が下段の足場から上段の手摺を先行して取り付けることができるものである。したがって、上段用のつなぎ材に手摺枠をつなぎ材の回りに回転可能な状態で仮置きし、下段の足場から手摺枠を約９０゜回転することによって支柱部材間に取り付け、先行手摺とすることができる。また、対向する垂直枠内の支柱部材の間をブレース材で連結する際に、ブレース材と手摺とが一体化されたブレース一体型手摺枠を用いることによって、先行手摺とすることもできる。
【００２８】
ところが、このような先行手摺を取り付けることができない場合には、作業者は手摺が設置されていない上段の足場に立ってから、支柱部材と手摺を設置することになるから、作業者が上段の足場から転落する危険がある。
【００２９】
図７および図８に、仮設足場の組立手順の２例（正面図）を示す。
【００３０】
図７は、支柱部材の最上部の連結金具につなぎ材を取り付けて緊結してなる「門形状」の垂直枠を形成する場合である。円内の拡大図を右側に示す。作業者１０は、第３段の足場の上に立って、新たな支柱部材３を既設の支柱部材３の上にホゾ材３ａを介して縦方向に継ぎ足すことによって、新たな支柱部材３を立設しようとしている。
【００３１】
このとき、作業者１０は上段用の支柱部材３を下段から立設することができないので、上段の手摺２０を先行して取り付けることができない。すなわち、先行手摺がない場合である。したがって、作業者１０は手摺２０が設置されていない上段の足場に立ってから、手摺２０の設置されていない状態で上段用の支柱部材３を下段の支柱部材３の上部に継ぎ足す作業をせざるを得ない。よって、作業者１０は最上段の足場から転落する危険がある。
【００３２】
図８は、支柱部材の中程の連結金具につなぎ材を取り付けて緊結してなる「Ｈ形状」の垂直枠を形成する場合である。円内の拡大図を右側に示す。作業者１０は、第３段の足場の上に立って、新たな支柱部材３を既設の支柱部材３の上に縦方向に継ぎ足すことによって、新たな支柱部材３を立設しようとしている。
【００３３】
このときは、作業者１０が第３段の足場の上に立ったときには、既に第３段の足場用の先行手摺２０ａを備える第３段用の支柱３が立設されている。すなわち、先行手摺がある場合である。よって、作業者１０は手摺の設置されている状態で上段用の支柱部材３を継ぎ足す作業をすることになるから、作業者が第３段の足場から転落するおそれは大幅に減少する。
【００３４】
ここで、上記文献１〜３で開示された拡幅・狭幅用足場部材をみてみると、床付き布枠を架け渡すための横地部材としての水平材又は水平アームを有しており、その水平材又は水平アームの一方の端部上に、短い支柱部材の２本がいずれも連結ピン（ホゾ）を介して、縦方向にジョイントされている。ここで、縦方向にジョイントされてなる短い支柱部材の２本が、通常の支柱部材１本分に相当しており、拡幅・狭幅用足場部材の上の段の足場の垂直枠の縦枠を構成することになる。
【００３５】
この拡幅・狭幅用足場部材を組み込んで仮設足場を組み立てるときに先行手摺の設置が可能か否かを考察してみる。この短い支柱部材は通常の支柱部材の略半分の長さであって、通常の支柱部材の略半分の軽さであるから、この水平材又は水平アームの上に、先行手摺を備える短い支柱部材を縦に継ぎ足した拡幅・狭幅用足場部材であれば、作業者が持ち上げることができる重量限度内である。したがって、この水平材又は水平アームの上に、先行手摺を備える短い支柱部材を縦に継ぎ足した拡幅・狭幅用足場部材を下段の足場から上段の足場に取り付けておくことができるから、先行した柱に先行手摺を取り付けることにより作業者が上段の足場に立ったときには、既に上段の足場用の手摺が取り付けられていることになる。
【００３６】
しかしながら、短い支柱部材の２本を縦方向に継ぎ足して通常の支柱部材の１本分の長さを形成した場合には、図９に示すように、一つの段の足場の垂直枠の縦枠には２箇所のジョイント部３ｂができることになってしまう。
【００３７】
ジョイント部３ｂにはガタ（余裕代）を持たせる必要があるので、一つの段の足場の垂直枠の縦枠にジョイント部３ｂが２箇所もあると、足場全体の支持力が低下するだけでなく、足場全体の横揺れが強くなる。このため、図１０に見るとおり、追加されたジョイント部３ｂの近傍には、足場の枠組を強化するために、別途につなぎ材２ｃを追加するという手間が必要となる。
【００３８】
本発明は、上記のような問題を解決するためになされたものであって、中途位置から上下または左右で異なる枠幅を有する仮設足場を構築する際に、先行手摺を設置できかつ仮設足場の剛性を確保できる拡幅・狭幅足場部材およびこの拡幅・狭幅足場部材を組み込んでなる仮設足場を提供することを目的とする。
【課題を解決するための手段】
【００３９】
本発明者らは、上記のような問題点を解決するために種々の検討を重ねた。その結果、次の(a)〜(g)に示す知見を得た。
【００４０】
(a) 引用文献１〜３にかかる拡幅・狭幅用足場部材を用いて、仮設足場の枠幅を中途位置から上下で異なる仮設足場を構築する際、先行手摺を設置しようとすると、一つの段の足場の垂直枠の縦枠には２箇所のジョイント部ができることになってしまう。一つの段の足場の垂直枠の縦枠にジョイント部３ｂが２箇所もあると、足場全体の支持力が低下するだけでなく、足場全体の横揺れが強くなる。このため、追加されたジョイント部３ｂの近傍には、足場の枠組を強化するために、別途につなぎ材２ｃを追加するという手間が必要となる。
【００４１】
(b) したがって、２箇所のジョイント部ができることを阻止した上で、先行手摺を設置できる拡幅・狭幅用足場部材を検討したところ、床付き布枠を架け渡すための横地部材を略中央部に移すとともに、その横地材の両端部のそれぞれに、通常の支柱部材と同じ長さを有する建地部材の略中央部を直角に連結させてなる構成とすればよいことを着想した。すなわち、２本の建地部材と、両建地部材に対して直角に設置され両建地部材の略中央部を水平に連結する横地部材から構成させることによって、「Ｈ形状」の垂直枠を形成するのである。この建地部材と横地部材から形成される「Ｈ形状」の垂直枠の構造は、図８に示すつなぎ材と支柱部材からなる「Ｈ形状」の垂直枠と同様に、先行手摺の設置が可能となる。
【００４２】
(c) ２本の建地部材と、両建地部材に対して直角に設置され両建地部材の略中央部を水平に連結する横地部材から構成される「Ｈ形状」の垂直枠だけでは、拡幅・狭幅用足場部材としては強度的に不十分である。これを解決するためには、両建地部材の上部近傍を水平に連結する上部水平部材と、両建地部材に対して斜角に設置され両建地部材間を略中央部から上部近傍にかけて斜めに連結する上部斜め部材を設置すれば、拡幅・狭幅用足場部材として剛性が確保されることが分かった。この上部水平部材及び斜め部材は拡幅・狭幅用足場部材に設置する先行手摺としても機能するので、先行手摺を備え、強度的にも剛性が確保された拡幅・狭幅用足場部材とすることができる。なお、建地部材の下部近傍を水平に連結する下部水平部材も設けると剛性はより向上するので、好ましい。また、両建地部材に対して斜角に設置され両建地部材間を略中央部から下部近傍にかけて斜めに連結する下部斜め部材を設けると、剛性はさらに向上するので、より好ましい。
【００４３】
(d) 上記(c)においては、両建地部材の上部近傍を水平に連結する上部水平部材と、両建地部材に対して斜角に設置され両建地部材間を略中央部から上部近傍にかけて斜めに連結する上部斜め部材を設置することによって、先行手摺を備え、強度的にも剛性が確保された拡幅・狭幅用足場部材としたが、この上部斜め部材に代えて、横地部材と上部水平部材の間に両建地部材を水平に連絡する中上部水平部材を１本または複数本設けても、先行手摺とすることができる。ただし、この場合には拡幅・狭幅用足場部材には斜め部材が存在しないことになるから、強度的に問題が残る。したがって、上部斜め部材に代えて、中上部水平部材を設ける場合には、剛性を確保するために、両建地部材に対して斜角に設置され両建地部材間を略中央部から下部近傍にかけて斜めに連結する下部斜め部材を設ける必要がある。なお、建地部材の下部近傍を水平に連結する下部水平部材も設けると剛性はより向上するので、好ましい。
【００４４】
(e) 以上は、仮設足場の枠幅を中途位置から上下方向に異ならせる場合で説明してきたが、階段部材を設置する場合のように、仮設足場の枠幅を中途位置から水平方向に異ならせるときにも用いることができる。したがって、この拡幅・狭幅用足場部材は、立面的に見て仮設足場の中途位置から上下で異なる枠幅を有する仮設足場を構築する際だけでなく、平面的に見ても仮設足場の中途位置から左右で異なる枠幅を有する仮設足場を構築する際にも用いることができる。そして、この拡幅・狭幅用足場部材には２本の建地部材の上部近傍を水平に連結する上部水平部材と、２本の建地部材を斜めに連結する斜め部材が設けられているので、強固に剛接合されている。そして、この拡幅・狭幅用足場部材を構成する建地部材の一方の下端を、下段の足場を構成する支柱部材の上端に差し込むものであるから、上段の足場からの荷重を下段の足場に伝達することができる。もちろん、先行手摺を設置できるし、一つの段の足場の枠組を構成する縦枠部分にはジョイント部が１箇所形成されるだけであるから、通常の１層分の支柱と変わらす使用でき、足場全体の支持力を低下させることなく、足場全体の横揺れも抑制することができる。
【００４５】
(f) この拡幅・狭幅用足場部材を構成する建地部材と横地部材は、それぞれ、クサビ緊結式足場の垂直枠を形成する支柱部材とつなぎ材に対応する。そして、上記建地部材と支柱部材は縦方向に継ぎ足すことができる。このとき、支柱部材と同様に、ジョイント部となる建地部材上端には連結ピン（ホゾ材）を設け、この連結ピン（ホゾ材）を介して縦方向に連結するのが好ましい。連結ピン（ホゾ材）は固定タイプでもよいし、取り外しタイプでもよい。なお、建地部材の下端にはジョイント部が外れないように抜け止め機能ピンを設けるのがよい。
【００４６】
(g) この拡幅・狭幅用足場部材を構成する建地部材には、つなぎ材（方杖付きつなぎ材を含む）やブレース材だけでなく、両建地部材の略中央部を水平に連結する横地部材、両建地部材の上部近傍を水平に連結する上部、上中部および下部水平部材、両建地部材間を斜めに連結する上部および下部斜め部材等を連結することができるコマ等の連結金具を側面に設けることができる。また、別途、ブレース材や手摺の取付孔に嵌め合わせることができるロック金具も側面に設けることができる。
【００４７】
本発明は、上記の知見に基づいて完成したものであって、その要旨は下記の(1)〜(6)の拡幅・狭幅用足場部材および下記(7)〜(8)の仮設足場にある。以下、総称して本発明という。
【００４８】
(1) ２本の建地部材と、両建地部材に対して直角に設置され両建地部材間の略中央部を水平に連結する横地部材と、両建地部材に対して直角に設置され両建地部材間の上部近傍を水平に連結する上部水平部材と、両建地部材に対して斜角に設置され両建地部材間を略中央部から上部近傍にかけて斜めに連結する上部斜め部材からなる拡幅・狭幅用足場部材。
【００４９】
(2) さらに、両建地部材に対して直角に設置され両建地部材間の下部近傍を水平に連結する下部水平部材を設けてなる、上記(1)の拡幅・狭幅用足場部材。
【００５０】
(3) さらに、両建地部材に対して斜角に設置され両建地部材間を略中央部から下部近傍にかけて斜めに連結する下部斜め部材を設けてなる、上記(1)または(2)の拡幅・狭幅用足場部材。
【００５１】
(4) ２本の建地部材と、両建地部材に対して直角に設置され両建地部材間の略中央部を水平に連結する横地部材と、両建地部材に対して直角に設置され両建地部材間の上部近傍を水平に連結する上部水平部材と、両建地部材に対して斜角に設置され両建地部材間を略中央部から下部近傍にかけて斜めに連結する下部斜め部材と、上記横地部材と上記上部水平部材の間で両建地部材間を水平に連絡する中上部水平部材からなる拡幅・狭幅用足場部材。
【００５２】
(5) さらに、両建地部材に対して直角に設置され両建地部材間の下部近傍を水平に連結する下部水平部材を設けてなる、上記(4)の拡幅・狭幅用足場部材。
【００５３】
(6) 建地部材の上端部にホゾ材を組み込んでなる、上記(1)〜(5)のいずれかの拡幅・狭幅用足場部材。
【００５４】
(7) 上記(1)〜(6)のいずれかの拡幅・狭幅足場部材を組み込んでなる仮設足場。
【００５５】
(8) 階段部材を組み込んでなる、上記(7)の仮設足場。
【発明の効果】
【００５６】
本発明によれば、中途位置から上下または左右で異なる枠幅を有する仮設足場を構築する際に、先行手摺を設置できかつ仮設足場の剛性を確保できる拡幅・狭幅足場部材およびこの拡幅・狭幅足場部材を組み込んでなる仮設足場を提供することができる。
【図面の簡単な説明】
【００５７】
【図１】くさび緊結式足場の構造の一例を示す。
【図２】くさび緊結式足場で用いられるつなぎ材の一例の正面図である。
【図３】くさび緊結式足場で用いられる方杖付つなぎ材の一例である。
【図４】床付き布枠の一例を示す。
【図５】枠幅約９００ｍｍの足場に階段部材を設置した一例である。
【図６】枠幅約１２００ｍｍの足場に階段部材を設置した一例である。
【図７】仮設足場の組立手順の一例である。
【図８】仮設足場の組立手順の他の例である。
【図９】一つの段の足場の垂直枠の縦枠に２箇所のジョイント部ができる一例を示す。
【図１０】枠組強化のためにつなぎ材を追加した例である。
【図１１】本発明に係る拡幅・狭幅用足場部材の一例（正面図）である。
【図１２】図１１の拡幅・狭幅用足場部材を組み込んでなる仮設足場の一例である。
【図１３】図１１の拡幅・狭幅用足場部材を組み込んでなる仮設足場の他の例である。
【図１４】階段部材と図１１の拡幅・狭幅用足場部材を組み込んでなる仮設足場の一例である。
【図１５】本発明に係る拡幅・狭幅用足場部材の他の数例（正面図）である。
【発明を実施するための形態】
【００５８】
以下、本発明の実施の形態に係る拡幅・狭幅用足場部材およびこの拡幅・狭幅足場部材を組み込んでなる仮設足場について、実施例に基づいて説明する。なお、本発明は実施例に限定されるものではない。
【実施例】
【００５９】
図１１は、本発明に係る拡幅・狭幅用足場部材の一例（正面図）である。
【００６０】
この拡幅・狭幅用足場部材は、２本の建地部材６０と、両建地部材に対して直角に設置され両建地部材間の略中央部を水平に連結する横地部材６１と、両建地部材に対して直角に設置され両建地部材間の上部近傍を水平に連結する上部水平部材６２と、両建地部材に対して直角に設置され両建地部材間の下部近傍を水平に連結する下部水平部材６５と、両建地部材に対して斜角に設置され両建地部材間を略中央部から上部近傍にかけて斜めに連結する上部斜め部材６７と、両建地部材に対して斜角に設置され両建地部材間を略中央部から下部近傍にかけて斜めに連結する下部斜め部材６８からなる。
【００６１】
ここでは、２本の建地部材６０と横地部材６１とで「Ｈ形状」の垂直枠を形成しており、この拡幅・狭幅用足場部材が仮設足場に組み込まれたとき、横地部材には床付き布枠が架け渡される。
【００６２】
そして、この「Ｈ形状」の垂直枠の剛性を高めるために、上部水平部材６２と下部水平部材６５と上部斜め部材６７と下部斜め部材６８が設けられている。なお、この拡幅・狭幅用足場部材を組み込んで仮設足場の枠組を組み立てる際に、上部水平部材６２と上部斜め部材６７が先行手摺として機能することになる。
【００６３】
この建地部材６０の下端部は、ホゾ材を介して、つなぎ材と支柱部材からなる「Ｈ形状」の垂直枠のうちの支柱部材の上端部に縦方向に継ぎ足すことができるし、２本の建地部材６０と横地部材６１とからなる「Ｈ形状」の垂直枠のうちの建地材の上端部に継ぎ足すこともできる。このため、ここでは、継ぎ足した建地部材６０が抜け落ちないように、この建地部材６０の下端部には抜け止め機能ピン７０が設けられている。
【００６４】
そして、この建地部材６０の上端部には、つなぎ材と支柱部材からなる「Ｈ形状」の垂直枠のうちの支柱部材の下端部を縦方向に継ぎ足すことができるし、２本の建地部材６０と横地部材６１とからなる「Ｈ形状」の垂直枠のうちの建地材の下端部を継ぎ足すこともできる。ここでは、建地部材６０の上端部にはホゾ材３ａが設けられており、このホゾ材を介して、支柱部材または建地部材の下端部を継ぎ足すことができる。
【００６５】
この拡幅・狭幅用足場部材の建地部材の側面にはコマ４が設けられており、ここに方杖付きつなぎ材の方杖の下端部のクサビ金具を取り付け、クサビで緊結することができる。また、この拡幅・狭幅用足場部材の建地部材の側面には、上部に固定型ロック金具７１が、そして、下部に可動型ロック金具７２がそれぞれ設けられており、ブレース材や手摺の取付孔を嵌め合わせることでブレース材や手摺等を取り付けることができる。
【００６６】
図１２は、図１１の拡幅・狭幅用足場部材を組み込んでなる仮設足場の一例である。
【００６７】
ここでは、図１１に示した拡幅・狭幅用足場部材を枠幅が約９００ｍｍの緊結式足場の上に組み込むことによって、第３段の足場の位置から上を枠幅約６００ｍｍへと狭幅に変更してなる仮設足場を構築しようとするものである。ここでは、左側の支柱は第１段から第４段まで同じ位置に立設されている。これに対して、右側の支柱は第１段から第３段までは左側支柱から約９００ｍｍの幅の位置に立設されるが、第３段以上では左側支柱から約６００ｍｍの幅の位置に立設される。また、各段の足場の組立の際には、先行手摺が設置できているから、作業者の安全を図ることもできる。以下に、この仮設足場を組み立てる手順について説明する。
【００６８】
まず、短い支柱部材の２本と約９００ｍｍの長さのつなぎ材から第１段の垂直枠が形成されており、隣接するつなぎ材（図示せず）の間に床付き布枠（図示せず）を架け渡すことによって、第１段の足場が形成される。それぞれの支柱部材の下端はジャッキベース５によって支持されている。この第１段の垂直枠を構成する短い支柱部材の上に、第２段の支柱部材３が継ぎ足され、第２段の支柱部材３の間を約９００ｍｍの長さの方杖付きつなぎ材３０で連結することによって、方杖付きつなぎ材３０と支柱部材３からなる「Ｈ形状」の第２段の垂直枠が形成され、その後、隣接する垂直枠（図示せず）との間を先行手摺２０ａで連結し、隣接する方杖付きつなぎ材（図示せず）の間に床付き布枠を架け渡すことによって、第２段の足場が形成される。
【００６９】
次に、この第２段の垂直枠を構成する支柱部材のうち左側の支柱部材３の上に第３段の支柱部材３が継ぎ足され、そして、右側の支柱部材３の上には図１１の拡幅・狭幅用足場部材の建地部材のうち右側の建地部材６０が継ぎ足され、第３段の支柱部材３のほぼ中央部とこの拡幅・狭幅用足場部材の左側の建地部材６０のほぼ中央部との間を約６００ｍｍの長さの方杖付きつなぎ材３０で連結することによって、方杖付きつなぎ材３０と左側支柱部材３と左側建地部材６０からなる「Ｈ形状」の第３段の垂直枠と、２本の建地部材６０と横地部材６１とからなる「Ｈ形状」の垂直枠が並んで形成される。その後、隣接する垂直枠（図示せず）との間を先行手摺２０ａで連結し、「Ｈ形状」の第３段の垂直枠の方杖付きつなぎ材３０と隣接する方杖付きつなぎ材３０（図示せず）との間に床付き布枠を架け渡すとともに、２本の建地部材６０と横地部材６１とからなる「Ｈ形状」の垂直枠の横地部材６１と隣接する横地部材（図示せず）との間に床付き布枠を架け渡すことによって、第３段の足場が形成される。
【００７０】
その後、第３段の垂直枠を構成する左側の支柱部材３の上に第４段の左側の支柱部材３が継ぎ足され、そして、拡幅・狭幅用足場部材の建地部材のうち左側の建地部材６０の上に第４段の右側の支柱部材が継ぎ足され、第４段の支柱部材の間を約６００ｍｍの長さの方杖付きつなぎ材３０で連結することによって、「Ｈ形状」の第４段の垂直枠が形成される。その後、隣接する垂直枠(図示せず)との間を先行手摺２０ａで連結し、隣接する方杖付きつなぎ材（図示せず）の間に床付き布枠を架け渡すことによって、第４段の足場が形成される。
【００７１】
この結果、第３段の足場の位置から上を枠幅約６００ｍｍへと狭幅に変更されてなる仮設足場が構築される。このとき、各段の足場の垂直枠の縦枠にはジョイント部が１個所存在するだけであるから、足場全体の支持力を大きく低下することなく、足場全体の横揺れも抑制することができる。また、支柱部材や建地部材はその下端を下段の足場を構成する支柱部材や建地部材の上端に差し込むものであるから、上段の足場から下段の足場に荷重を伝達することができる。さらに、拡幅・狭幅用足場部材においては、２本の建地部材を斜めに連結する斜め部材が設けられているので、強固に剛接合されている。
【００７２】
図１３は、図１１の拡幅・狭幅用足場部材を組み込んでなる仮設足場の他の例である。
【００７３】
ここでは、図１１に示した拡幅・狭幅用足場部材を枠幅が約９００ｍｍの緊結式足場の上に組み込むことによって、第３段の足場の位置から上を枠幅約１２００ｍｍへと広幅に変更してなる仮設足場を構築しようとするものである。ここでは、左側の支柱は第１段から第４段まで同じ位置に立設されている。これに対して、右側の支柱は第１段から第３段までは左側支柱から約９００ｍｍの幅の位置に立設されるが、第３段以上では左側支柱から約１２００ｍｍの幅の位置に立設される。また、各段の足場の組立の際には、先行手摺が設置できているから、作業者の安全を図ることもできる。以下に、この仮設足場を組み立てる手順について説明する。
【００７４】
まず、短い支柱部材の２本と約９００ｍｍの長さのつなぎ材から第１段の垂直枠が形成されており、隣接するつなぎ材（図示せず）の間に床付き布枠（図示せず）を架け渡すことによって、第１段の足場が形成される。それぞれの支柱部材の下端はジャッキベース５によって支持されている。この第１段の垂直枠を構成する短い支柱部材の上に、第２段の支柱部材３が継ぎ足され、第２段の支柱部材３の間を約９００ｍｍの長さの方杖付きつなぎ材３０で連結することによって、方杖付きつなぎ材３０と支柱部材３からなる「Ｈ形状」の第２段の垂直枠が形成され、その後、隣接する垂直枠（図示せず）との間を先行手摺２０ａで連結し、隣接する方杖付きつなぎ材（図示せず）の間に床付き布枠を架け渡すことによって、第２段の足場が形成される。
【００７５】
次に、この第２段の垂直枠を構成する支柱部材のうち左側の支柱部材３の上に第３段の支柱部材３が継ぎ足され、そして、右側の支柱部材３の上には図１１の拡幅・狭幅用足場部材の建地部材のうち左側の建地部材６０が継ぎ足され、第３段の支柱部材３のほぼ中央部とこの拡幅・狭幅用足場部材の左側の建地部材６０のほぼ中央部との間を約９００ｍｍの長さの方杖付きつなぎ材３０で連結することによって、方杖付きつなぎ材３０と左側支柱部材３と左側建地部材６０からなる「Ｈ形状」の第３段の垂直枠と、２本の建地部材６０と横地部材６１とからなる「Ｈ形状」の垂直枠が並んで形成される。その後、隣接する垂直枠（図示せず）との間を先行手摺２０ａで連結し、「Ｈ形状」の第３段の垂直枠の方杖付きつなぎ材３０と隣接する方杖付きつなぎ材３０（図示せず）との間に床付き布枠を架け渡すとともに、２本の建地部材６０と横地部材６１とからなる「Ｈ形状」の垂直枠の横地部材６１と隣接する横地部材（図示せず）との間に床付き布枠を架け渡すことによって、第３段の足場が形成される。
【００７６】
その後、第３段の垂直枠を構成する左側の支柱部材３の上に第４段用の左側の支柱部材３が継ぎ足され、そして、拡幅・狭幅用足場部材の建地部材のうち右側の建地部材６０の上に第４段の右側の支柱部材が継ぎ足され、第４段の支柱部材の間を約１２００ｍｍの長さの方杖付きつなぎ材３０で連結することによって、「Ｈ形状」の第４段の垂直枠が形成される。その後、隣接する垂直枠（図示せず）との間を先行手摺２０ａで連結し、隣接する方杖付きつなぎ材（図示せず）の間に床付き布枠を架け渡すことによって、第４段の足場が形成される。
【００７７】
この結果、第３段の足場の位置から上を枠幅約１２００ｍｍへと広幅に変更されてなる仮設足場が構築される。このとき、各段の足場の垂直枠の縦枠にはジョイント部が１個所存在するだけであるから、足場全体の支持力を大きく低下することもなく、足場全体の横揺れも抑制することができる。また、支柱部材や建地部材はその下端を下段の足場を構成する支柱部材や建地部材の上端に差し込むものであるから、上段の足場から下段の足場に荷重を伝達することができる。さらに、拡幅・狭幅用足場部材においては、２本の建地部材を斜めに連結する斜め部材が設けられているので、強固に剛接合されている。
【００７８】
以上の実施例では、拡幅・狭幅用足場部材を組み込むことによって、立面的に見て仮設足場の枠幅を中途位置から上下方向に異ならせる場合で説明してきたが、階段部材を設置する場合のように、平面的に見ても仮設足場の枠幅を中途位置から水平方向に異ならせるときにも用いることができる。
【００７９】
図１４は、階段部材と図１１の拡幅・狭幅用足場部材を組み込んでなる仮設足場の一例を示す。(a)が仮設足場の平面図、(b)がＡ−Ａ矢視図、そして、(c)がＢ−Ｂ矢視図である。
【００８０】
この仮設足場は壁つなぎ１５によって、建物１４の壁面につながれている。この仮設足場は、幅が約６６０ｍｍの階段部材１２が設置された足場とその近傍を除いて、枠幅が約９００ｍｍである。そして、階段部材１２が設置された足場とその近傍においては、枠幅が約１２００ｍｍであるので、階段部材が設置された足場においては作業者が通る通路の幅は約５４０ｍｍである。したがって、作業者は余裕を持って階段部材１２の脇を通ることができる。
【００８１】
この例においては、枠幅約９００ｍｍの足場の一部に、上下に複数個の階段部材１２を組み入れても作業者が余裕を持って階段部材１２の脇を通ることができるように、階段部材１２が設置された足場とその近傍の枠幅を約１２００ｍｍへと拡げてなる仮設足場を構築しようとするものである。枠幅が変更となる連結部１３に図１１に示した拡幅・狭幅用足場部材を用いる。
【００８２】
枠幅が変更となる連結部１３においては、図１４(b)にみるごとく、各段とも、左側の支柱は支柱部材３を縦方向に継ぎ足すことによって立設され、そして、右側は拡幅・狭幅用足場部材の２本の建地部材６０を縦方向に継ぎ足すことによって立設されている。言い換えれば、各段とも、左側の支柱部材３と左側建地部材６０と方杖付きつなぎ材３０からなる「Ｈ形状」の左側垂直枠（枠幅約９００ｍｍ）と、２本の建地部材６０と横地部材６１からなる「Ｈ形状」の右側垂直枠（枠幅約３００ｍｍ）が並んで形成されている。
【００８３】
この連結部１３に隣接する垂直枠は、図１４(c)にみるとおりであり、各段とも、２本の支柱部材３とこれらの支柱部材３の間を約１２００ｍｍの長さの方杖付きつなぎ材３０で連結することによって、方杖付きつなぎ材３０と支柱部材３からなる「Ｈ形状」の垂直枠（枠幅約１２００ｍｍ）が形成されている。
【００８４】
そして、連結部１３の垂直枠とこれに隣接する垂直枠の間に床付き布枠９を複数枚架け渡すことによって、各段の足場が形成されるのである。ただし、連結部には左側垂直枠と右側垂直枠の間に左側建地部材６０が存在するから、それを避けて床付き布枠９を架け渡す必要があるため、床付き布枠９は、連結部の右側垂直枠の横地部材６１と隣接する垂直枠の方杖付きつなぎ材３０の間と、連結部の左側垂直枠の方杖付きつなぎ材３０と隣接する垂直枠の方杖付きつなぎ材３０の間とに、別々に架け渡される。
【００８５】
この結果、枠幅約９００ｍｍの足場の一部に、上下に複数個の階段部材１２を組み入れて、枠幅を約１２００ｍｍへと拡げてなる仮設足場が得られる。このときも、各段の足場の垂直枠の縦枠にはジョイント部が１個所存在するだけであるから、足場全体の支持力を大きく低下することなく、足場全体の横揺れも抑制することができる。また、支柱部材３や建地部材６０はその下端を下段の足場を構成する支柱部材３や建地部材６０の上端に差し込むものであるから、上段の足場から下段の足場へ荷重を伝達することができる。さらに、拡幅・狭幅用足場部材においては、２本の建地部材６０を斜めに連結する斜め部材が設けられているので、強固に剛接合されている。
【００８６】
図１５は、本発明に係る拡幅・狭幅用足場部材の他の数例（正面図）である。
【００８７】
図１５(a)〜(c)は、いずれも、２本の建地部材６０と、両建地部材に対して直角に設置され両建地部材間の略中央部を水平に連結する横地部材６１から構成される「Ｈ形状」の垂直枠に加えて、両建地部材間の上部近傍を水平に連結する上部水平部材６２と、両建地部材に対して斜角に設置され両建地部材間を略中央部から上部近傍にかけて斜めに連結する上部斜め部材６７を有しているので、拡幅・狭幅用足場部材として剛性が確保されている。そして、この斜め部材６７は上部水平部材６２とともに拡幅・狭幅用足場部材に設置する先行手摺材として機能する。
【００８８】
図１５(d)〜(e)は、いずれも、２本の建地部材６０と、両建地部材に対して直角に設置され両建地部材間の略中央部を水平に連結する横地部材６１から構成される「Ｈ形状」の垂直枠に加えて、両建地部材に対して斜角に設置され両建地部材間を略中央部から下部近傍にかけて斜めに連結する下部斜め部材６８を有しているので、拡幅・狭幅用足場部材として剛性が確保されている。そして、両建地部材の中上部近傍を水平に連結する中上部水平部材６３が設けられており、上部水平部材６２とともに先行手摺材として機能する。
【産業上の利用可能性】
【００８９】
本発明によれば、中途位置から上下または左右で異なる枠幅を有する仮設足場を構築する際に、先行手摺を設置できかつ仮設足場の剛性を確保できる拡幅・狭幅足場部材およびこの拡幅・狭幅足場部材を組み込んでなる仮設足場を提供する。
【符号の説明】
【００９０】
１  支柱
２  つなぎ材
２ａ  つなぎ材の端部のクサビ
２ｂ  つなぎ材の端部のクサビ金具
２ｃ  追加されたつなぎ材
３  支柱部材
３ａ  ホゾ材
３ｂ  ジョイント部
４  コマ
５  ジャッキベース
９  床付き布枠
１０  作業者
１２  階段部材
１３  連結部
１４  建物
１５  壁つなぎ
２０  手摺
２０ａ  先行手摺
２１  ブレース材
３０  方杖付つなぎ材
３０ａ  方杖の下端部のクサビ
３０ｂ  方杖の下端部のクサビ金具
３１  水平管
３１ａ  水平管の端部の下部の開口部
３２  方杖
３４  束材
４０  端部板
４０ａ  端部板の下向きの切り欠き部
５０  主材
５０ａ  主材の床材部
５０ｂ  主材の布材部
５１  掴み金具
５１ｂ  落下錠
５１ａ  湾曲部
５１ｃ  リベット
５２  梁材（側板）
６０  建地部材
６１  横地部材
６２  上部水平部材
６３  中上部水平部材
６５  下部水平部材
６７  上部斜め部材
６８  下部斜め部材
７０  抜け止め機能ピン
７１  固定型ロック金具
７２  可動型ロック金具
８３  エンボス加工
【図１】
2015169010.tif 000003
【図２】
2015169010.tif 000004
【図３】
2015169010.tif 000005
【図４】
2015169010.tif 000006
【図５】
2015169010.tif 000007
【図６】
2015169010.tif 000008
【図７】
2015169010.tif 000009
【図８】
2015169010.tif 000010
【図９】
2015169010.tif 000011
【図１０】
2015169010.tif 000012
【図１１】
2015169010.tif 000013
【図１２】
2015169010.tif 000014
【図１３】
2015169010.tif 000015
【図１４】
2015169010.tif 000016
【図１５】
2015169010.tif 000017